【手続補正書】
【提出日】平成28年3月3日(2016.3.3)
【手続補正１】
【補正対象書類名】特許請求の範囲
【補正対象項目名】全文
【補正方法】変更
【補正の内容】
【特許請求の範囲】
【請求項１】
電気相互接続システムであって、
板状であり、第１の表面（３１）及び背中合わせの第２の表面（３２）を有するパドルカード（３０）であって、前記パドルカード（３０）の前記第１の表面（３１）上に位置付けられた複数の第１の接触パッド（３３）と、前記パドルカード（３０）の前記第２の表面（３２）上に位置付けられた複数の第２の接触パッド（３４）と、を含む、パドルカード（３０）と、
それぞれが第１の接触部分（１３１ａ）を有する、複数の第１の導体（１３ａ）を含む第１のウェハ（１１ａ）と、
それぞれが第２の接触部分（１３１ｂ）を有する、複数の第２の導体（１３ｂ）を含む第２のウェハ（１１ｂ）と、を備え、
各ウェハ（１１ａ、１１ｂ）が、前記ウェハ（１１ａ、１１ｂ）の前記複数の導体（１３ａ、１３ｂ）のうちの少なくとも一部を密閉する筐体（１２）を含み、各前記筐体（１２）が、前記ウェハがプリント基板（６０）上に取り付けられ得る取り付け縁（１２２）と、前記接触部分（１３１ａ、１３１ｂ）が位置する嵌合縁（１２１）と、を有し、
前記第１のウェハ（１１ａ）及び前記第２のウェハ（１１ｂ）が、前記第１の接触部分（１３１ａ）と前記第２の接触部分（１３１ｂ）とを互いに向かい合わせにし、かつ前記パドルカード（３０）の少なくとも一部を収容するための空隙（１３１０）をその間に形成することができるように一緒に組み立てられ、
前記パドルカード（３０）が前記空隙（１３１０）の中に少なくとも一部収容されるとき、各第１の接触部分（１３１ａ）が、対応する第１の接触パッド（３３）と電気的に接触するように適合され、各第２の接触部分（１３１ｂ）が、対応する第２の接触パッド（３４）と電気的に接触するように適合される、電気相互接続システム。
【請求項２】
電気レセプタクルコネクタ（１０）であって、
それぞれが第１の接触部分（１３１ａ）を有する、複数の第１の導体（１３ａ）を含む少なくとも１つの第１のウェハ（１１ａ）と、
それぞれが第２の接触部分（１３１ｂ）を有する、複数の第２の導体（１３ｂ）を含む少なくとも１つの第２のウェハ（１１ｂ）と、を備え、
各ウェハ（１１ａ、１１ｂ）が、前記複数の導体（１３ａ、１３ｂ）のうちの少なくとも一部を密閉する筐体（１２）を含み、前記筐体（１２）が、前記ウェハがプリント基板（６０）上に取り付けられ得る取り付け縁（１２２）と、前記接触部分（１３１ａ、１３１ｂ）が位置する嵌合縁（１２１）と、を有し、
１つの第１のウェハ（１１ａ）の前記第１の接触部分と、１つの第２のウェハ（１１ｂ）の前記第２の接触部分とが、前記第１の接触部分（１３１ａ）と、前記対応する第２の接触部分（１３１ｂ）とを互いに向かい合わせにし、かつその間に空隙（１３１０）を形成することができるようにするように一緒に組立てられ、１つの第１のウェハ（１１ａ）と、１つの第２のウェハ（１１ｂ）とが、前記電気レセプタクルコネクタ（１０）に結合されるパドルカード（３０）を受容するための前記空隙（１３１０）を有するように構成されたウェハユニットを構成するように、前記第１及び第２のウェハ（１１ａ、１１ｂ）が、互いに隣り合わせに交互に配置される、電気レセプタクルコネクタ（１０）。
【請求項３】
コネクタ（１００）であって、
第１及び第２のウェハ（１１ａ、１１ｂ）であって、各ウェハが、
嵌合コネクタに面し、かつ基板の上に取り付けられるように構成された取り付け縁（１２２）と直交するように構成された嵌合縁（１２１）を含む筐体（１２）と、
前記筐体（１２）内に少なくとも一部固定され、かつ前記筐体（１２）の横方向に沿って互いに交互に配置された複数の一対の信号導体（１３ｃ、１３ｄ）及び複数の接地導体（１４）であって、前記複数の一対の信号導体及び接地導体の中の各信号導体（１３ｃ、１３ｄ）及び各接地導体（１４）が、
嵌合コネクタの対応する接点と接触するための、前記筐体の外側及び前記筐体の前記嵌合縁（１２１）にある接触部分（１３８、１３９、１４９）と、
基板上の対応する導電性トレースと接触するための、前記筐体の外側及び前記筐体の前記取り付け縁（１２２）にある取り付け部分（１３６、１３７、１４８）と、
前記筐体内に配設され、前記接触部分（１３８、１３９、１４９）を前記取り付け部分（１３６、１３７、１４８）と接続する接続部分（１３４、１３５，１４７）であって、前記嵌合縁から前記取り付け縁へと延在する、対向する長手方向縁（１３４ａ、１１３４ｂ、１３５ａ、１３５ｂ、１４７ａ、１４７ｂ）を有し、一方のウェハの中の各一対の信号導体（１３ｃ、１３ｄ）の前記接触部分（１３８、１３９）が、他方のウェハの中の異なる対応する接地導体（１４）の前記接触部分（１４９）に面し、前記コネクタの側面から見たときに、前記一対の信号導体（１３ｃ、１３ｄ）の前記接触部分の前記長手方向縁（１３８ａ、１３９ｂ）が、前記異なる対応する接地導体（１４）の前記接触部分の前記長手方向縁（１４９ａ、１４９ｂ）の間に配設される、前記接続部分（１３４、１３５、１４７）、と、を有する、複数の一対の信号導体（１３ｃ、１３ｄ）及び複数の接地導体（１４）と、を含む、第１及び第２のウェハ（１１ａ、１１ｂ）、を備える、コネクタ（１００）。
【請求項４】
プラグコネクタ筐体（５００）であって、
前部筐体部分（６００）であって、
頂壁（６１０）と、
底壁（６２０）と、
前記頂壁と前記底壁との間に延在する一対の対向する側壁（６３０）と、
前記頂壁と前記底壁と前記側壁との間に延在する垂直前方嵌合壁（６４０）であって、そこを貫通して延在する複数の離間垂直スロット（６５０）を画定し、各垂直スロットが、回路基板（４００）を受容するように構成される、垂直前方嵌合壁（６４０）と、
前記頂壁と同一平面上にあり、かつ前記嵌合壁から前方に延在する頂部フランジ（６６０）と、
前記底壁と同一平面上にあり、かつ前記嵌合壁から前方に延在する底部フランジ（６６５）と、
前記頂壁の裏側の前記側壁のうちの１つの上面上に配設された少なくとも１つの第１の係合部材（６７０）と、
前記底壁の裏側の前記側壁のうちの１つの底面上に配設された少なくとも１つの第２の係合部材（６８０）と、
前記頂壁及び前記底壁のうちの一方の内部表面上に配設された第３の係合部材（６９０）と、を含む、前部筐体部分（６００）と、
頂部筐体部分（７００）であって、
頂壁（７１０）と、
前記頂壁から下向きに延在する一対の対向する側壁（７２０）であって、前記頂壁及び側壁が、複数の回路基板（４００）を受容するための空洞（７３０）を画定する、一対の対向する側壁（７２０）と、
前記頂壁から下向きに延在し、かつ前記側壁の間に配設されたディバイダ（７４０）と、
前記頂壁の内部表面上及び前方に配設された少なくとも１つの第１の係合部材（７５０）と、
前記頂壁の内部表面上に配設された第２の係合部材（７６０）と、
前記ディバイダの底部にある第１の位置決め穴（７７０）と、を含む、頂部筐体部分（７００）と、
底部筐体部分（８００）であって、
底壁（８１０）と、
前記底壁から上向きに延在する一対の対向する側壁（８２０）と、
前記頂壁から上向きに延在し、かつ前記側壁の間に配設されたディバイダ（８３０）と、
上面上及び前記底壁の前方にある少なくとも１つの第１の係合部材（８４０）と、
前記ディバイダの頂部にある第１の位置決め穴（８５０）と、を含む、底部筐体部分（８００）と、を備え、
前記前部筐体部分、前記頂部筐体部分、及び前記底部筐体部分が、
前記前部筐体部分の前記少なくとも１つの第１の係合部材（６７０）が、前記頂部筐体部分の前記少なくとも１つの第１の係合部材（７５０）と係合し、
前記前部筐体部分の前記少なくとも１つの第２の係合部材（６８０）が、前記底部筐体部分の前記少なくとも１つの第１の係合部材（８４０）と係合し、
ファスナが、前記頂部筐体部分の前記第１の位置決め穴（７７０）を前記底部筐体部分の前記第１の位置決め穴（８５０）と係合するように、可逆的に組み立てられ、前記プラグコネクタ筐体が、各回路基板が、
前記頂部フランジと前記底部フランジとの間に前記嵌合壁から前方に延在する前記回路基板の前記エッジコネクタ（４３０）と、
前記回路基板の前記第１の係合部材（４１０）と係合する前記前部筐体部分と係合する前記第３の係合部材（６９０）と、
前記回路基板の前記第２の係合部材（４２０）と係合する前記頂部筐体部分の前記第２の係合部材（７６０）とともに、対応する垂直スロット内に配置されるように、前記回路基板の縁に沿った第１（４１０）及び第２の（４２０）係合部材と、前記回路基板の前方にあるエッジコネクタ（４３０）とを有する、回路基板（４００）を受容するように構成される、プラグコネクタ筐体（５００）。